Podtech/llm-jp-corpus-v4-ja_patent huggingface dataset:
(57)【要約】【課題】高摩擦面を有するナットを用いるナットの緩み止め機構を提供する。【解決手段】右ネジと左ネジを刻設したクロス雄ネジを設け、右ネジを刻設した右ネジナットと左ネジを刻設した左ネジナットを設けて、クロス雄ネジに双方のナットを重ねて締め込む場合において、各ナット間に高摩擦係数面を有するように、ナットの上下面に高摩擦係数面を設けて、各ナットを押圧接触するように形成して、クロス雄ネジに対する各ナットの緩みを防止するよう組み合わせ構成したことを特徴とする。【選択図】図７
0003168085.tif 000002
【実用新案登録請求の範囲】
【請求項１】
右ネジと左ネジを刻設したクロス雄ネジを設け、右ネジを刻設した右ネジナットと左ネジを刻設した左ネジナットを設けて、クロス雄ネジに双方のナットを重ねて締め込む場合において、各ナット間に高摩擦係数面を有するように、ナットの上下面に高摩擦係数面を設けて、各ナットを押圧接触するように形成して、クロス雄ネジに対する各ナットの緩みを防止するよう組み合わせ構成したことを特徴とする高摩擦面を有するナットを用いたナットの緩み防止機構。
【請求項２】
高摩擦係数面を、線状凸部をランダム方向に多数形成するものとした請求項１記載の高摩擦面を有するナットを用いたナットの緩み防止機構。
【考案の詳細な説明】
【技術分野】
【０００１】  この考案は、高摩擦面を有するナットを用いたナットの緩みを防止するための機構に関する。
【背景技術】
【０００２】  従来より、ナットの緩みを防止するための種々の手段が利用されているが、本案にて示すように、互いに逆ネジとなるナットを用いるとともに、ナット上面または下面に高摩擦係数面を設け、このナット相互の押圧接触にて緩みを防止する手段は見あたらない。
【考案の開示】
【考案が解決しようとする課題】
【０００３】  ナットは物品固定用部品として多方面に用いられている。ナットを締め込んだ後のナット緩みを防ぐために種々の手段があり、スプリングワッシャやダブルナットなどが一般的で多用されている。ナットの緩む原因としては、接触部凹凸の平坦化、座面部の塑性変形、軸直角方向繰り返し外力による緩みなどいくつもの要因がある。これらの原因による緩み防止のために上述のような手段があり、とりわけダブルナット方式が多用されている。
これは、一つの雄ねじに対して２個のナットを用い、互いのナット間の押圧摩擦にて緩みを防止するものであるが、振動の多い場所ではこのダブルナットにても緩みの完全防止は得られず、根本的な解決手段が見あたらないのが現状である。
本案は、以上のような従来からのナット緩み防止手段に関わる課題を解決するために考案されたもので、シンプルな構成にて上述の目的を達することのできる新規かつ有用なる手段を提供することを目的としたものである。
【課題を解決するための手段】
【０００４】  課題を解決する手段として本案は以下の構成とした。
すなわち、右ネジと左ネジを刻設したクロス雄ネジを設け、右ネジを刻設した右ネジナットと左ネジを刻設した左ネジナットを設けて、クロス雄ネジに双方のナットを重ねて締め込む場合において、各ナット間に高摩擦係数面を有するように、ナットの上下面に高摩擦係数面を設けて、各ナットを押圧接触するように形成して、クロス雄ネジに対する各ナットの緩みを防止するよう組み合わせ構成する。本案は以上の構成よりなる高摩擦面を有するナットを用いたナットの緩み防止機構である。
【考案の効果】
【０００５】  本案によれば、クロス雄ネジに右ネジナットと左ネジナットを重ねて押圧する場合において、各ナット間に高摩擦係数面を押圧接触させる手法のため、高摩擦面を有するナットを用いない場合に比べてナット間の滑り防止効果が高まり、ナットの緩み防止に高い効果を発揮することができる。
【考案を実施するための最良の形態】
【０００６】  以下、本考案の実施形態について説明する。
図において、１はクロス雄ネジである。このクロス雄ネジは、右ネジ２による雄ネジ部分に左ネジ３を刻設したものである。４は右ネジナットで、その中央に右雌ネジを刻設した略六角柱体である。５は該ナット上面に形成される高摩擦面で、微細な線状凸部６をランダム方向に多数形成したものである。７は左ネジナットで、その中央に左雌ネジを刻設した略六角柱体である。８は高摩擦面で、右ネジナットに形成される高摩擦面と同様のもので、左ネジナット下面に形成される。
以上が本案の一実施例である。本案使用に際しては、まずクロス雄ネジに右ネジナットを螺合させて締め込む。次に左ネジナットをその上から締め込む。この状態において、各ナットは高摩擦面が相互に押圧接触しており、相互のナット間には線状凸部相互接触による強い摩擦抵抗が存在して、相互の滑りが防止されている。つまり、平面相互接触の場合に比べて接触面積が小さくなるため、単位面積あたりの押圧力が強化されるのである。
従って、相互のナットは一体的となり、また互いに逆ネジとなっているために、この一組のナットは左右いずれかの方向に回転しようとしても、いずれかのナットにそれが阻止されてクロス雄ネジに対するナットの回転は防止され、緩み止め機能が発揮される。
なお、双方のナットを上下面に線状凸部を設けたものとしてもよい。あるいは線状凸部に代えて、点状凸部や不定形状凸部としてもよい。
以上、本案について記したが、本案は右ネジナットと左ネジナットを上下に重ねてクロス雄ネジに螺合させ、高摩擦面を介在させるところにその特徴を有し、強固な緩み止め効果を有するものである。従来は、クロス雄ネジを用いない手段が利用されており、根本的な解決は難しかったが、本案にてこれが可能となったのである。なお、どのナットにどの方向のネジを刻設するかは自由であり、その効果に差異はない。
以上述べたように、本案はクロス雄ネジを利用し、逆ネジナットを高摩擦面を介在させて用いる方式のため、ナット締め込みによる双方ナットの固定にて各ナットの緩みを防止することのできる有用なる機構を提供することができる。
【図面の簡単な説明】
【０００７】
【図１】  本考案の右ネジナットの平面図
【図２】  本考案の右ネジナットの正面図
【図３】  本考案の右ネジナットの底面図
【図４】  本考案の左ネジナットの平面図
【図５】  本考案の左ネジナットの正面図
【図６】  本考案の左ネジナットの底面図
【図７】  本考案の使用状態図
【符号の説明】
【０００８】  １  クロス雄ネジ
２  右ネジ
３  左ネジ
４  右ネジナット
５  高摩擦面
６  線状凸部
７  左ネジナット
８  高摩擦面
【図１】
0003168085.tif 000003
【図２】
0003168085.tif 000004
【図３】
0003168085.tif 000005
【図４】
0003168085.tif 000006
【図５】
0003168085.tif 000007
【図６】
0003168085.tif 000008
【図７】
0003168085.tif 000009
(57)【要約】      （修正有）【課題】絵画額及び押し花額に、水滴をリアルに表現できる書画製作用画材を提供する。【解決手段】透明板に、樹脂系接着剤または透明樹脂を水滴状に滴下付着させる。【選択図】図１
0003168084.tif 000002
【実用新案登録請求の範囲】
【請求項１】
透明板に樹脂系接着剤または透明樹脂を付着させ模様を形成したことを特徴とする書画製作用画材。
【請求項２】
請求項１記載の書画製作用画材を書画に重ねたことを特徴とする書画製作品。
【考案の詳細な説明】
【技術分野】
【０００１】  本考案は、透明板に樹脂系接着剤または透明樹脂を付着して模様を形成したものを、書画と重ね書画製作品となる書画製作用画材である。
【技術背景】
【０００２】  一般的に書画の押し花絵や絵画は台板となるものに押し花を貼り付けたり、絵の具やパステルなどの絵画材料で直に描いて製作する。
【考案の概要】
【考案が解決しようとする課題】
【０００３】  絵画では、雨の情景や水滴を表現するのには、画材となる絵の具やパステルを使用して描くことで可能だが、リアル感がない。押し花絵の場合、絵の具やパステルを使っての雨の情景や水滴の表現は難しい。そこで押し花絵に水滴のリアル感を出す方法を考案し、絵画もその技法を使うことで描写の拡大ができる。
【課題を解決するための手段】
【０００４】  透明板に樹脂系接着剤または透明樹脂を水滴状に付着させる等して模様を形成したものを、押し花絵や絵画と重ねる。【０００５】  接着剤または樹脂を付着させ模様を形成した透明板は、水滴状の接着剤または樹脂が押し花絵や絵画など書画に直に触れにないよう間に隙間を設ける。【０００６】  接着剤または樹脂を付着させ模様を形成した透明板の裏側に押し花絵や絵画を重ね、樹脂を付着した面には保護用透明板を重ね額縁に装着する。
接着剤または樹脂を付着させ模様を形成した透明板のもう片面に押し花を貼り付け、押し花を貼り付けた面には保護用透明板を重ね、接着剤または樹脂を付着した面は絵の具やパステルなどの画材で色や模様をつけた台板を重ねる描写方法もある。【０００７】  描写方法によっては半透明板を使用したり、色をつけた樹脂系接着剤や樹脂を雪や星を模して付着させることもできる。
【考案の効果】
【０００８】  本考案は書画製作品の書画製作用画材として、透明板に樹脂系接着剤または透明樹脂を水滴状等に付着させて描写の効果を演出するもので、書画と合わせて使用することでリアル感、臨場感、情緒感を感じさせるものである。
【図面の簡単な説明】
【０００９】
【図１】書画製作用画材の全体図であり、（ａ）は斜視図（ｂ）は側面図（ｃ）は平面図である。
【図２】書画製作用画材と押し花絵と重ねた場合の側面図である。
【図３】保護用透明板と書画製作用画材の樹脂付着面を重ね、押し花絵を重ねた場合の側面図である。
【図４】書画製作用画材の片面に押し花を貼り付け、押し花絵の面に保護用透明板を重ね、樹脂付着面には絵画を重ねた場合の側面図である。
【考案を実施するための形態】
【００１０】  図１は、書画製作用画材の全体図であり、（ａ）は斜視図（ｂ）は側面図（ｃ）は平面図である。
図２は、書画製作用画材と押し花絵と重ねた場合の側面図である。
【００１１】  透明板２に樹脂系接着剤または透明樹脂３を水滴状に付着させて模様を形成した書画製作用画材１を、図２に示すように台板６上の押し花絵や絵画等の書画４と重ねる。
【００１２】  接着剤または樹脂３を付着させ模様を形成した透明板２は、水滴状の接着剤または樹脂３が押し花５の押し花絵や絵画など書画４に直に触れにないよう間にスペーサ９を設ける。
【００１３】  図３は、保護用透明板８と書画製作用画材１の接着剤または樹脂３の付着面を重ね、押し花絵や絵画などの書画４を重ねた場合の側面図である。
接着剤または樹脂３を付着させ模様を形成した透明板２の裏側に押し花５の押し花絵や絵画などの書画４を重ね、接着剤または樹脂３を付着した面には保護用透明板８を重ね額縁に装着する。９はスペーサである。
図４は、書画製作用画材１の片面に押し花５を貼り付け、その面に保護用透明板８を重ね接着剤または樹脂３付着面には絵画７を重ねた場合の側面図である。
接着剤または樹脂３を付着させ模様を形成した透明板２のもう片面に押し花５を貼り付け、押し花５の面には保護用透明板８を重ね、接着剤または樹脂３を付着した面は絵の具やパステルなどの画材で色や模様をつけた絵画７の台板を重ねる。
【００１４】    描写方法によっては透明板２の代わりに半透明板を使用したり、色をつけた樹脂系接着剤や樹脂を雪や星を模して付着させることもできる。
【００１５】  透明板２を平らに置き、樹脂系接着剤または透明樹脂３を水滴状の形態に滴下付着させ、模様とする数量を置いたら、硬化するまで待つ。又は水滴が垂れ落ちるような形態にする場合は樹脂系接着剤または透明樹脂３を滴下付着させたあと透明板２を傾け、付着物の形が変化したら平らに戻し、硬化するのを待つ。
【００１６】  透明板２に付着させる樹脂系接着剤は、コニシ株式会社のウルトラ多用途、河口株式会社の多目的クラフトボンド、Ｓｔｙｌｅ−Ａ社のデコ用ボンドを使用すると望ましい水滴状の模様が得られる。
【００１７】  透明板２の模様が付着された面と押し花絵やパステル画や絵画等の書画４と重ねるが、その際、書画４に直接触れないよう隙間を設け、額縁に装着した際は見えないよう透明板２と書画の間に隙間ができるようスペーサ９を置く。
【００１８】  付着した水滴模様の形態が手前側に見えるようにしたい場合は保護用透明板８と重ねたものと、書画４を重ねる。
【００１９】  透明板２のほか、半透明板を使用したり、樹脂に色を混ぜ、雪や星を模したものを付着させて、書画製作の描写の表現の幅を広げることもできる
【符号の説明】
【００２０】１、書画製作用画材
２、透明板
３、樹脂系接着剤または透明樹脂
４、書画
５、押し花
６、台板
７、絵画
８、保護用透明板
９、スペーサ
【図１】
0003168084.tif 000003
【図２】
0003168084.tif 000004
【図３】
0003168084.tif 000005
【図４】
0003168084.tif 000006
(57)【要約】      （修正有）【課題】車両の車輪に取り付け可能な車輪のリム内周とほぼ同一直径の円発光が得られる車輪用蓄光器を提供する。【解決手段】二輪車ならびにこれに類する車両の車輪内周面２の全周に湾曲させて環状に装着可能な柔軟性を備えた棒状フレーム３と、環状状態の時に棒状フレーム外周を成す面に粘着もしくは接着手段４を備え、車輪１の左右両側面もしくは左右いずれか片側に現れる面に蓄光機能面５を備え、棒状フレームの断面形状がほぼ三角形状を成すようにして車輪用蓄光器を形成する。【選択図】図１
0003168089.tif 000002
【実用新案登録請求の範囲】
【請求項１】
二輪車ならびにこれに類する車両の車輪内周面全周に湾曲させて環状に装着可能な柔軟性を備えた棒状フレームと、環状状態の時に棒状フレーム外周を成す面に粘着もしくは接着手段を備え、車輪の左右両側面もしくは左右いずれか片側に現れる面に蓄光機能面を備えたことを特徴とする車輪用蓄光器。
【請求項２】
棒状フレームの断面形状がほぼ三角形状を成すことを特徴とする請求項１記載の車輪用蓄光器。
【考案の詳細な説明】
【技術分野】
【０００１】  この考案は、車輪のリム内周面に取り付けて車輪の側面を暗所で円形に発光させるための車輪用蓄光器に関するものである。
【背景技術】
【０００２】  従来、夜間等の視認性改善のために二輪車ならびにこれに類する三輪車や車いす等の車両に用いられる車輪全周に取り付けて円発光を得るタイプの蓄光機能部材には、柔軟性を備えた蓄光粘着テープがあった。
【考案の開示】
【考案が解決しようとする課題】
【０００３】  これには次の様な問題点があった。
蓄光粘着テープを車輪の側面から見えるように備えるためには、車輪のリム側面に貼り付ける必要があるが、自転車等ではブレーキ装置の制動摩擦部材が車輪のリム側面を摺接する車種があり、この摺接面と同一面に蓄光粘着テープを貼った場合に蓄光粘着テープが制動摩擦部材によって擦られて汚れたり損耗したり剥がれる恐れがあった。
本考案は以上の問題点を解決するためになされたものである。
【課題を解決するための手段】
【０００４】  二輪車ならびにこれに類する車両の車輪内周面全周に湾曲させて環状に装着可能な柔軟性を備えた棒状フレームと、環状状態の時に棒状フレーム外周を成す面に粘着もしくは接着手段を備え、車輪の左右両側面もしくは左右いずれか片側に現れる面に蓄光機能面を備えた車輪用蓄光器であって、更に棒状フレームの断面形状がほぼ三角形状を成すことを特徴とする車輪用蓄光器である。
【考案の効果】
【０００５】車輪のリム内周面に簡便に取り付けが可能であって、取り付ける車両のブレーキの種類に制限されることなく車輪の側面に対して蓄光機能による円発光を導入することが可能である。
【考案を実施するための最良の形態】
【０００６】  以下本考案の実施の形態について説明する。
二輪車ならびにこれに類する車両の車輪（１）のリム内周（２）全周に湾曲させて環状に装着可能な柔軟性を備えた棒状フレーム（３）があり、前記リム内周（２）とほぼ同一長さに切断して用いる。棒状フレーム（３）の材料としてはアクリル等各種成形樹脂やアルミ類金属の他、グラスファイバー、カーボンファイバー等の複合材も使用可能である。これを環状状態に湾曲させた時に棒状フレーム（３）の外周を成す面に接着剤や両面粘着テープ等の粘着もしくは接着手段（４）を備える。これを用いて本車輪用蓄光器をリム内周面（２）に装着することが出来る。この装着状態の時に棒状フレーム（３）の車輪の左右両側面、もしくは左右いずれか片側に現れる面に蓄光機能面（５）を備える。蓄光機能面（５）は該当面に蓄光粘着テープを貼るか、もしくは蓄光機能塗料を塗布するか、もしくは棒状フレーム（３）自体を、蓄光機能を備えた材料、例えば蓄光顔料と光透過色の樹脂を混合した成形樹脂材料等で構成することにより備える。本車輪用蓄光器は車輪の左右片側のみに装着しても左右両側に装着しても良い。また、棒状フレーム（３）の断面形状は、ほぼ三角形状を成すことでＬ字断面形状等と比べて高い強度を保ちつつ四角断面形状等と比べて軽量な車輪用蓄光器となる。以上の形態により車輪側面に蓄光機能による円状発光機能が導入される。
【図面の簡単な説明】
【０００７】
【図１】本考案の斜視図
【図２】本考案の断面図
【符号の説明】
【０００８】  １  車輪
２  リム内周面
３  棒状フレーム
４  粘着もしくは接着手段
５  蓄光機能面
【図１】
0003168089.tif 000003
【図２】
0003168089.tif 000004
(57)【要約】      （修正有）【課題】犬の排泄物の処理において、ワンタッチで糞を回収でき、各家庭のトイレにて、処理することができる排泄物処理器を提供する。【解決手段】パイプシャフトに、捕捉部と取手部と操作レバーを取り付けて、操作レバーを作動されることにより、捕捉部を開閉と右左首振りを可能にし、夜間に確認できるようにパイプシャフトに、夜行反射テープを巻き、操作レバーの取手部に、ＬＥＤライトと、スイッチとを取り付ける。【選択図】図１
0003168082.tif 000002
【実用新案登録請求の範囲】
【請求項１】
アルミ製パイプシャフト（２）に、樹脂製の捕捉部（１）と取手部（７）と操作レバー（６）を取り付けて、操作レバーを作動されることにより、捕捉部（１）を開閉と右左首振り（９）を可能にし、夜間に確認できるようにパイプシャフト（２）に、夜行反射テープを巻き、操作レバーの取手部（７）に、ＬＥＤライト（４）と、スイッチ（５）とを取り付けていることを特徴とする、排泄物処理器。
【請求項２】
排泄物を袋自体とともに、トイレで処理出来ように、排泄物処理器の、捕捉部（１）の先端部を挿入できるような縁を設け、縁の両先端を斜めにカットした袋（１０）は、大きさ縦１５〜２５ｃｍ×横１０〜２０ｃｍにして、材質として水に溶け易い再生紙であることを、特徴とする、請求項１記載の排泄物処理器。
【考案の詳細な説明】
【技術分野】
【０００１】  本考案は犬の排泄物を、ワンタッチで、回収して、袋ごと持ち帰り、各家庭トイレにて、手を汚さず、処理出来る事を目的とした。
本体の大きさは、全長８０ｃｍと６５ｃｍの二種類である。犬の大きさに、依り、選べる。
【背景技術】
【０００２】  犬の排泄物が、各自治地区で、問題になっているが本考案は、夜間犬と散歩時でも安全に、持ち歩く事が出来、暗闇でも、ＬＥＤライトを、点灯する事に依り確実に、袋の中に、排泄物をキャッチ出来、防犯、交通安全対策にも、夜間反射にて、対向車等にも、確認出来、排泄物の処理も、簡単に、処理出来事を、目的とした排泄物処理器である。
【先行技術文献】
【特許文献】
【０００３】
【特許文献１】  特許公表  ２００６−５０９５２７
【特許文献２】  実用新案  第３１４２６９３
【考案の概要】
【考案が解決しようとする課題】
【０００４】  ペット愛好家には、頭の痛い事だが、我が町でも、夕方に役所の放送で、ペットの放し飼い、糞の始末等を、放送する毎日で有る。
特許、実用新案等でも、数多く、発表されてる現在でも、何々実用製品化された物は、少ない様で有るが、本考案の排泄物処理器は、使い勝手の良い、簡単に処理出来る物として、期待したい。
【課題を解決するための手段】
【０００５】アルミ製パイプシャフト（２）に、樹脂製の捕捉部（１）と取手部（７）と操作レバー（６）を取り付けて、操作レバーを作動されることにより、捕捉部（１）を開閉と右左首振り（９）を可能にし、夜間に確認できるようにパイプシャフト（２）に、夜行反射テープを巻き、操作レバーの取手部（７）に、ＬＥＤライト（４）と、スイッチ（５）とを取り付けている排泄物処理器である。【０００６】  排泄物を袋自体とともに、トイレで処理出来ように、排泄物処理器の、捕捉部（１）の先端部を挿入できるような縁を設け、縁の両先端を斜めにカットした袋（１０）は、大きさ縦１５〜２５ｃｍ×横１０〜２０ｃｍにして、材質として水に溶け易い再生紙である。【０００７】    本考案の、回収袋は、各自持ち帰っての、処理となる。袋（９）を、自分で、製作する、事も出来る。又、再生紙を、水に溶け易い再生紙で、製作すると、水洗トイレ等にも袋事流せるので、簡単に手を、汚さず処理出来る。
【考案と効果】
【０００８】  特に夜間散歩時は、暗い場所等が、多いので、防犯対策、及び、交通安全等にも、気を使うので、本考案の排泄物処理器を、持ち歩く事に依り歩道のない道でも、光行反射テープが付いているので、車にも、注意出来るし、ＬＥＤライトも付いているので、便利で有る。杖か、ステッキ代わりに持ち歩く事で、少し安心感を与える。
【図面の簡単な説明】
【０００９】
【図１】  排泄物処理器の、全体図
【図２】  回収袋
【考案を実地するための形態】
【００１０】  市販品の玩具、マジックハンドを、改良する事に依り、犬との散歩時に、持ち歩く事に依り、野良犬等も、追い払う事も出来、又、目立ち易く防犯対策や、交通安全対策として、最適である。
【実施例】
【００１１】  本考案の犬の排泄物処理器は、玩具のマジックハンド（市販品、台湾製）を改良した、昼夜を問わずに犬の散歩時に、持ち歩く事に依り、夜間でも、安心して持ち歩く事が出来、急な犬の排泄にも、慌てずに、衛生的に、回収出来、そのまま、持ち帰って、各家庭のトイレ等にて、簡単に、処理出来る事を、目的とした。【００１２】夜間、犬との散歩時に、持参する事に依り、犬の排泄物を暗闇の場所でも難なく回収出来、排泄物処理器の操作部を、閉じたまま家に持ち帰りトイレにて手を汚さず処理出来る。柄の部分に夜光反射テープを、巻いているから、防犯及び交通安全にも対応出来、愛犬を、野良犬等から、守る為にも便利で有る。夜間は、ＬＥＤランプが付くので、安心である。
【産業上の利用可能性】
【００１３】  現在、犬の糞取り器等の、特許及び実用新案で、約３００件以上の文献が、公表されているが、製品化された物を、見るのは数少ない。本考案は、玩具のマジックハンドを本格的に、改良したものである。
現状は、片手に犬の綱を、片手に懐中電灯、回収ティッシュ等では、大変で有る。犬の散歩前に、排泄物処理器に、袋をセットすれば、難なく排泄物を確実に、捕捉出来、犬の糞を袋事、水洗トイレ等に流せる事は、便利で有り衛生的である。
【符号の説明】
【００１４】１．捕捉部
２．パイプシャフト
３．夜光反射テープ
４．ＬＥＤライト
５．スイッチ
６．操作レバー
７．取手部
８．ボタン電池収納部
９．可動部
１０．袋
１１．１２．挿入口
１３．糊付け部
【図１】
0003168082.tif 000003
【図２】
0003168082.tif 000004
(57)【要約】      （修正有）【課題】製造段階で、窓枠本体に２枚のガラスが設置できるように製造し従来の組み立てとかわらない作業が出来る、本体窓枠の横にガラス１枚が増設するだけで製造コストも格安にできる出窓式一体型二重ガラス窓枠を提供する。【解決手段】メインフレームの枠より小さいサブフレームとを一体にそなえメインフレームとサブフレームは同じ大きさのガラスを設置して出窓式一体型二重ガラス窓枠を形成する。【選択図】図１
0003168063.tif 000002
【実用新案登録請求の範囲】
【請求項１】
２枚ガラスが設置できる２重窓枠にすることで、騒音や、空調の、冷、暖房の効率をよくする、出窓式、一体型二重ガラス窓枠
【請求項２】
従来の窓枠本体の横に１枚のガラスが設置できる骨組みにする出窓式一体型二重ガラス窓枠
【考案の詳細な説明】
【技術分野】
【０００１】本発明は製造段階で、窓枠本体に２枚のガラスが設置できるように製造し従来の組み立てとかわらない作業が出来る、従来型の本体窓枠の横にガラス１枚が増設するだけで製造コストも格安にできる。
【背景技術】
【０００２】従来の窓ガラスは窓枠にガラス１枚の設置でのため騒音や冷、暖房の効果が不十分であら。
【考案の開示】
【考案の効果】
【０００３】一体型２重ガラス窓枠アルミサッシによって防音や冷，暖房の効果も向上し  現在世界中で地球温暖化問題が騒がれている昨今、日本、世界中がこの一体型２重ガラス窓枠アルミサッシの設備使用すれば    何んらかの効果がでるとおもいます。
【考案を実施する為の最良の形態】
【０００４】本発明は窓ガラスを２枚本体に固定することであり    取り扱いは従来と変わらない。
【図面の簡単な説明】
【０００５】
【図１】一体型２重ガラス窓枠アルミサッシ側面、正面図
【符号の説明】
【０００６】１    本体メインフレーム    ２    本体サブフレーム    ３    ガラス
【図１】
0003168063.tif 000003
【手続補正書】
【提出日】平成23年3月2日(2011.3.2)
【手続補正１】
【補正対象書類名】実用新案登録請求の範囲
【補正対象項目名】全文
【補正方法】変更
【補正の内容】
【実用新案登録請求の範囲】
【請求項１】
メインフレームの枠より小さいサブフレームとを一体にそなえメインフレームとサブフレームは同じ大きさのガラスが設置されていることを特徴とする出窓式一体型二重ガラス窓枠。
(57)【要約】      （修正有）【課題】高齢者・障害者及び年少者がバスを利用する際乗降が容易なバスの乗降口用祖テップ装置を提供する。【解決手段】バスの乗降口用補助ステップを利用するため、必要最小限の大きさの収納ボックスを乗降口下部の車体裏側に取付け、中から手動で引出板を引き出す。収納ボックス下部に圧縮バネを取付け一方の端を引出板端に取付けて乗降後引出板を収納する。【選択図】図４
0003168067.tif 000002
【実用新案登録請求の範囲】
【請求項１】
バスの乗降口用補助ステップを利用するため、必要最小限の大きさの収納ボックスを乗降口下部の車体裏側に取付け、中から手動で引出板を引き出す。収納ボックス下部に圧縮バネを取付け一方の端を引出板端に取付けて乗降後引出板を収納することを特徴とするバスの乗降口用補助ステップ装置。
【考案の詳細な説明】
【技術分野】
【０００１】  本考案は、バスの乗降口用補助ステップを取付けることにより高齢者・障害者及び年少者のバスに乗降することを容易にするものである。
【背景技術】
【０００２】  現在走行しているバスは、乗降口の地面より高さが３０ｃｍ余りの古いタイプのバスが殆んどで低床バスの普及が進んでいないのが現状である。
【考案の開示】
【考案が解決しようとする課題】
【０００３】  最近のバスには、手動引出式スロープ板を標準装備されているタイプもありますが、手軽に引出せる構造になっていないのが現状です。
本考案は、乗降口の２分の１程度のスペースを利用して両足を乗せる程度の手動引出板を、乗降口下部の車体裏側に取付ける構造にするのが本考案の目的である。
【課題を解決するための手段】
【０００４】  本考案のバスの乗降口用補助ステップ板は、バス乗降口下部の車体裏側に手動引出板を収納するボックスを、ボルト締めあるいは溶接等で装着する。【０００５】  収納ボックス内に配置された手動引出板の前後の滑りを容易にするため手動引出板の裏面に二本の凸部を設け、収納ボックス内側板上にも相対して二本の凹部を設ける。【０００６】  手動引出板を引出し補助ステップとして活用後、元に戻すために圧縮バネを手動引出板下面の片端に突部を設けバネの片方を取付け、もう一方のバネの先端を収納ボックス外側下面に凸部を設け取付けることにする。【０００７】  手動引出板をスムースに引出すために収納ボックス内側底面より手動引出板を上下に波うたない様にガイド板を手動引出板上面に適宜の間隔で設ける。
【考案を実施するための最良の形態】
【０００８】  以下、本考案の実施形態を図１〜図６に基づいて説明する。【０００９】  図１において、１は手動引出板で、２は収納ボックスである。３の２本の溝は収納ボックス内側板上に設け手動引出板をガイドするものである。【００１０】  図２の収納ボックスの２本の溝に相対して１の手動引出板の４の凸部の２本のガイドを設けてある。【００１１】  図３の手動引出板の２分の１は、収納ボックス内におさまっており引出した際に元に戻らない様に中央部に穴を設けピンを差し込む様にする。使用後はピンを外すことにより圧縮バネにより収納ボックスにおさまることになる。
【図面の簡単な説明】
【００１２】
【図１】本考案の実施形態を示す収納ボックスと手動引出板の平面図及び一部切欠断面図
【図２】本考案図１の左側面より矢視したＡ−Ａ線断面図である
【図３】本考案図１の手動引出板の斜視図
【図４】本考案図１の手動引出板と収納ボックスのＢ−Ｂ線断面図
【図５】バスの乗降口下部に収納ボックスを取付けた位置を示す図
【図６】バスの乗降口下部に取付けた収納ボックスより手動引出板を引出した斜視図
【符号の説明】
【００１３】１        手動引出板（補助ステップ）
２        収納ボックス
３ａ，ｂ  収納ボックス内側板上に設けた凹部案内溝
４ａ，ｂ  手動引出下面に設けた凸部のガイド
５        収納ボックスより手動引出板を引き出しまた戻すための圧縮バネ
６        収納ボックス下面の突起部にバネを取付ける
７        手動引出板外側先端下部に設けた突起部にバネを取付ける
８        手動引出板を引き出すための突起部
９        手動引出板を引き出し戻らない様にするピン穴部
１０      手動引出板の上面に設けたガイド板
【図１】
0003168067.tif 000003
【図２】
0003168067.tif 000004
【図３】
0003168067.tif 000005
【図４】
0003168067.tif 000006
【図５】
0003168067.tif 000007
【図６】
0003168067.tif 000008
(57)【要約】      （修正有） 【課題】流氷化ミネラル供給の人工システムを提供する。【解決手段】のりもの（船、飛行機、自動車、鉄道）１にＦｅサンドをサンドブラスト装置又は液体ホーニング装置２をサンドタンク３を介して搭載し、Ｆｅサンド３‘を魚４に供給する魚用Ｆｅブラストヴィークルとする。アムール川からの流氷化したミネラルＦｅ供給を全世界の魚用Ｆｅ供給まで応用できる。【選択図】図１
0003168061.tif 000002
【実用新案登録請求の範囲】
【請求項１】
サンドブラスト装置又は液体ホーニング装置を搭載したのりもの（船、飛行機、自動車、鉄道）魚用Feブラストヴィークル。
【考案の詳細な説明】
【技術分野】
【０００１】
本考案は、従来のアムール川（黒龍江）の鉄鉱の上流からのFeの流れが流氷化して、黒潮、親潮の魚群への供給ミネラルとなるアナロジー技術に関する。
【背景技術】
【０００２】
NHKTV報道『「アムール川からの流氷化したミネラルFe」がオホーツク海を経て黒潮、親潮の魚群を創っている。』があります。
【考案の概要】
【考案が解決しようとする課題】
【０００３】
しかしながら、「アムール川からの流氷化したミネラルFe」は、自然が創ったミネラルFe供給システム流氷に限られるという欠点がある。
【０００４】
本考案は、上記実情に鑑みてなされたものであり、流氷に限らない魚群へのミネラルFe供給に応用できる対策としている。
【課題を解決するための手段】
【０００５】
上記目的を達成するため考案は、流氷をキャリアとしたものに限らないミナラルFe供給システムとして次の構成を含むことを特徴としている。キャリアとしての流氷の動きにまねて、のりもの（船、飛行機、自動車、鉄道）流氷の溶解によるFeの海水への拡散にまねてサンド（Fe）ブラスト装置をそののりものに塔載した構成である。
【考案の効果】
【０００６】
本考案により、アムール川からの流氷化したミネラルFe供給を全世界の魚用Fe供給まで応用できる対策にできる。
【図面の簡単な説明】
【０００７】
【図１】本考案の魚用Feブラストヴィークルである。
【考案を実施するための形態】
【０００８】
本考案の実施の形態の一例について、図面を参照しながら説明する。
魚用Feブラストヴィークルは図１に示すように、のりもの（線、飛行機、自動車、鉄道）１、サンドブラスト装置又は液体ホーニング装置２サンド（Fe）タンク３を具備を搭載し、Feサンド３‘をブラストして魚４に供給できる。
【符号の説明】
【０００９】
１．      のりもの（船、飛行機、自動車、鉄道）
２.       サンド（Fe）ブラスト装置（液体（Fe）ホーニング装置でも可。）
３．３‘  サンドタンク、Feサンド                                                ４．      魚
【図１】
0003168061.tif 000003
【手続補正書】
【提出日】平成23年3月8日(2011.3.8)
【手続補正２】
【補正対象書類名】明細書
【補正対象項目名】０００７
【補正方法】変更
【補正の内容】
【０００７】
【図１】本考案のサンドブラスト装置搭載のりもの
【手続補正３】
【補正対象書類名】明細書
【補正対象項目名】０００８
【補正方法】変更
【補正の内容】
【０００８】      本考案の実施の形態の一例について図面を参照しながら説明する。サンドブラスト装置搭載のりものは図１に示すように、のりもの（船、飛行機、自動車、鉄道）１、サンドブラスト装置又は液体ホーニング装置２サンド（Ｆe）タンク３を具備したものを搭載し、Ｆeサンド３をブラストして魚４に供給できる。
【手続補正４】
【補正対象書類名】実用新案登録請求の範囲
【補正対象項目名】請求項１
【補正方法】変更
【補正の内容】
【請求項１】
サンドブラスト装置又は液体ホーニング装置を搭載したのりもの。
(57)【要約】      （修正有）【課題】テニスラケットを効率よく収納する専用のラックを提供する。【解決手段】ラケット収納を専用とし、省スペースで多くのラケットを収納でき、各ラケットはグリップの部分でロックがかけられ、盗難等の被害も防止できる構造を特徴とする。ラケット収納を専用とした設計なので、多くのラケットが収納できる。【選択図】図１
0003168044.tif 000002
【実用新案登録請求の範囲】
【請求項１】
テニスラケットを複数本収納でき、かつ個別に鍵をかけることによって盗難の防止にも配慮したテニスラケットを保管するラック。
【考案の詳細な説明】
【技術分野】
【０００１】  本考案は、テニスラケットを効率よく収納する専用のラックである。
【背景技術】
【０００２】  従来、テニスラケットを保管する専用の什器はなく、おもに洋服などを収納する更衣ロッカーを利用していた。
【考案の開示】
【考案が解決しようとする課題】
【０００３】  従来代用品として使用されたいたロッカーはラケットを対象に設計されておらず、無駄なスペースができ、限られた空間により多くのラケットを収納することはできなかった。
【課題を解決するための手段】
【０００４】  上記課題を解決するために、テニスラケット専用のラックを考案した。
【考案の効果】
【０００５】  ラケット収納を専用とした設計なので、省スペースで多くのラケットが収納できる。
各ラケットはグリップの部分でロックがかけられ、盗難等の被害も防止できる。
【図面の簡単な説明】
【０００６】
【図１】同使用状態に係るラケットラックの全体斜視図である。
【図２】同使用状態に係るラケットラックの正面図である。
【図３】同使用状態に係るラケットラックの側面図である。
【図４】同使用状態に係るラケットラックのグリップ部分の使用状態を示す斜視図である。
【符号の説明】
【０００７】１  サイン板
２  本体フレーム
３  ガイドパイプ
４  キャスター
５  グリップ部分固定金具
６  テニスラケット
７  南京錠
【図１】
0003168044.tif 000003
【図２】
0003168044.tif 000004
【図３】
0003168044.tif 000005
【図４】
0003168044.tif 000006
【手続補正書】
【提出日】平成22年12月13日(2010.12.13)
【手続補正１】
【補正対象書類名】実用新案登録請求の範囲
【補正対象項目名】全文
【補正方法】変更
【補正の内容】
【実用新案登録請求の範囲】
【請求項１】
本考案の「テニスラケットを保管するラック」にラケットのグリップ部分でロックがかけられるように、「グリップ部分固定金具」と「鍵」が設けられており、南京錠などの鍵を利用してロックをかけるとテニスラケットが固定され盗難、いたずらを防止できる。
【手続補正書】
【提出日】平成23年3月7日(2011.3.7)
【手続補正１】
【補正対象書類名】実用新案登録請求の範囲
【補正対象項目名】全文
【補正方法】変更
【補正の内容】
【実用新案登録請求の範囲】
【請求項１】
ラケットのグリップ部分でロックがかけられるように、グリップ部分固定金具と鍵が設けられていることを特徴とするテニスラケットを保管するラック。
(57)【要約】      （修正有）【課題】不特定多数の人が利用する洋式便所で便座用ペーパーシートカバー、消毒用アルコールが品切れ又は備え付けの無い場合気持ちよく使用する為に、トイレットペーパーにて代用し易くする為の便座を提供する。【解決手段】便座に切り込み及びクリップを設けこれらにトイレットペーパーを挟み込み軽く固定し腰を降ろすまですべり落ちることの無い様にする。又使用後は簡単に固定したトイレットペーパーを取り外し便器内に落とし込み処分することが出来る。【選択図】図１
0003168045.tif 000002
【実用新案登録請求の範囲】
【請求項１】
洋式便座にトイレットペーパーが挟みこめる切り込みを入れる
【請求項２】
洋式便座にトイレットペーパーが挟みこめるクリップを設ける
【考案の詳細な説明】
【技術分野】
【０００１】本考案は、洋式便座のペーパーシートカバー又は消毒用アルコールの代わりに、トイレットペーパーにて代用できる形状とした便座である
【背景技術】
【０００２】従来は洋式便座のシートカバーの代わりにトイレットペーパーを便座の上へ敷いた場合滑り落ちるので代用しにくかった
【考案概要】
【考案が解決しようとする課題】
【０００３】会社デパート病院等で不特定多数の人が利用する洋式トイレで備え付けのペーパーシートカバー、消毒用アルコールが切れている
又は、備え付けの無い場合トイレットペーパーで便座カバーの代用とすることがある。この時便座表面は防汚の為ツルツルなので敷いたトイレットペーパーが腰を降ろすまでにすべり落ちることがしばしばあった。
【課題を解決する為の手段】
【０００４】洋式便座に、切り込み及びクリップを設け、トイレットペーパーを軽く固定する様にした
【考案の効果】
【０００５】トイレットペーパーを切り込み、クリップに挟み込むことにより便座からすべり落ちることが無くなり、気持ちよく使用できる。
使用後は簡単に取り外し、便器内に落とし処分できる。
【図面の簡単な説明】
【０００６】
【図１】考案した、切り込みクリップにトイレットペーペーを挟み込んだ便座の平面図である。
【図２】考案したクリップにトイレットペーペーを挟み込んだ便座の断面図である。
【符号の説明】
【０００７】１    便座本体
２    切り込み
３    クリップ
４    トイレットペーパー
【図１】
0003168045.tif 000003
【図２】
0003168045.tif 000004
【手続補正書】
【提出日】平成22年12月17日(2010.12.17)
【手続補正１】
【補正対象書類名】実用新案登録請求の範囲
【補正対象項目名】全文
【補正方法】変更
【補正の内容】
【実用新案登録請求の範囲】
【請求項１】
洋式便座にトイレットペーパーが挟み込みできる切込みを設ける、切込みを設ける位置は、便座に腰を降ろした時  後方臀部両側２箇所及び前方両膝付近２箇所とする。
【請求項２】
洋式便座にトイレットペーパーが挟み込みできるクリップを設ける、上記の切り込みによるトイレットペーパーの設置は、臀部の左右方向は設置出来るが、便座両脇の前後方向には切りこみだけではトイレットペーパーを設置しにくいので、後方両側切り込みの  さらに後方に  クリップを設けこのクリップ及び膝付近前方の切り込みにて便座両脇前後方向にトイレットペーパを設置できる様にする。
【手続補正書】
【提出日】平成23年3月4日(2011.3.4)
【手続補正１】
【補正対象書類名】実用新案登録請求の範囲
【補正対象項目名】全文
【補正方法】変更
【補正の内容】
【実用新案登録請求の範囲】
【請求項１】
トイレットペーパーを挟み込む為の切込みを設ける、切込みを設ける位置は、洋式便座に腰を降ろした時  後方臀部両側各１箇所及び前方両膝付近に１、２  箇所とする、この切込みを設けたことを特徴とする洋式便座。
【請求項２】
トイレットペーパーを挟み込みできるクリップを設ける、クリップを設ける位置は、前記後方の切込みのさらに後方に各１箇所クリップを設けたことを、特徴とする請求項１に記載の洋式便座。
(57)【要約】      （修正有）【課題】水稲栽培期間を通じての病害虫、特にカメムシに対して高い忌避効果を示し、その忌避効果が長期間有効であり、かつ人体への危険性がより少ない害虫忌避剤を提供する。【解決手段】杉木から採取した生の杉葉１を釜２に入れて、これに水３を加えて満たし、加熱して沸騰させて煮詰め、精製して、該杉葉１の成分を該釜２の該水３中に抽出し、杉葉１の成分を高濃度に含有する水溶液を携帯可能な大きさのビンに封入する。【選択図】図１
0003168047.tif 000002
【実用新案登録請求の範囲】
【請求項１】
天然植物を原料とした害虫忌避剤であって、杉木から採取した生の杉葉を釜に入れて、これに水を加えて満たし、加熱して沸騰させて煮詰め、精製して、該杉葉の成分を該釜の該水中に抽出し、杉葉の成分を高濃度に含有する水溶液に成すことを特徴とした害虫忌避剤。
【考案の詳細な説明】
【技術分野】
【０００１】  本考案は、特にカメムシに対しての害虫忌避剤に関する。
【背景技術】
【０００２】  半翅目カメムシ類は細長い管状の口器を持つ昆虫で、多くは、食植性で、イネ、果樹、野菜、マメ類、花卉などの農作物を吸汁、加害し、農業害虫として問題視され、特に、水稲へのカメムシ被害は甚大で、イネの穂を吸汁して斑点米を発生し米の品質に大きな被害を与えることが知られている。【０００３】  このように農作物に被害を与え、特にわが国の主要農産物である水稲に多大な被害を与えるカメムシの防除法として現在有機リン系などの合成殺虫剤の散布が行われている。
【考案の開示】
【考案が解決しようとする課題】
【０００４】  しかしながら、不規則に大発生する時期にはその害を抑えきれないのが現状であり、カメムシに特異的に効果のある駆除剤がないのが現状である。また、近年、環境問題、健康問題への社会の意識高揚の中で、有機合成農薬の散布時における人体への直接の影響、残留毒性が懸念され、安全性の高い天然物由来の薬剤等の開発が望まれている。【０００５】本考案は、上記従来有する問題点に鑑み、水稲栽培期間を通じての病害虫、特にカメムシに対して高い忌避効果を示し、その忌避効果が長期間有効であり、かつ人体への危険性がより少ない害虫忌避剤を提供しようとするものである。
【課題を解決するための手段】
【０００６】  本考案の害虫忌避剤は、杉木から採取した生の杉葉１を釜２に入れて、これに水３を加えて満たし、加熱して沸騰させて煮詰め、精製して、該杉葉１の成分を該釜２の該水３中に抽出し、杉葉１の成分を高濃度に含有する水溶液に成すことを特徴としたことで、天然植物を原料とした害虫忌避剤であって、水稲栽培期間を通じての病害虫、特にカメムシに対しての高い忌避効果と長期間の有効性を有し、かつ人体への危険性がより少ない害虫忌避剤とした。
【考案の効果】
【０００７】  本考案によれば、カメムシ類の防除を、従来の有機リン剤系等の合成殺虫剤代替用として植物由来の天然活性成分を利用して可能にすることができる。植物熱分解液は植物の成長を促進する働きを持つことも知られ、近年、植物成長促進用として普及しつつあり、したがって、植物熱分解液をカメムシ防除用に施用することは単にカメムシの被害を抑制することに留まらず、植物の成長を促す効果もあわせ持つことが期待できる。
【考案を実施するための最良の形態】
【０００８】  以下、本考案の実施の形態について、図面を参照して説明する。
図１に示すように、本考案の害虫忌避剤は、杉木から採取した生の杉葉１を釜２に入れて、これに水３を加えて満たし、加熱して沸騰させて煮詰め、精製して、該杉葉１の成分を該釜２の該水３中に抽出し、杉葉１の成分を高濃度に含有する水溶液に成すことを特徴としたことで、天然植物を原料とした害虫忌避剤であって、水稲栽培期間を通じての病害虫、特にカメムシに対しての高い忌避効果と長期間の有効性を有し、かつ人体への危険性がより少ない害虫忌避剤とした。
【図面の簡単な説明】
【０００９】
【図１】本考案にかかる害虫忌避剤の製造過程の一実施例を示す、一部を破断した説明図である。
【符号の説明】
【００１０】１    杉葉
２    釜
３    水
４    かまど
５    熱源
【図１】
0003168047.tif 000003
【手続補正書】
【提出日】平成22年12月20日(2010.12.20)
【手続補正１】
【補正対象書類名】実用新案登録請求の範囲
【補正対象項目名】全文
【補正方法】変更
【補正の内容】
【実用新案登録請求の範囲】
【請求項１】
天然植物を原料とした害虫忌避剤であって、杉木から採取した生の杉葉を釜に入れて、これに水を加えて満たし、加熱して沸騰させて煮詰め、精製して、該杉葉の成分を該釜の該水中に抽出し、杉葉の成分を高濃度に含有する水溶液に成すことを特徴として、害虫忌避効果成分を含む液体組成物の形態とした害虫忌避剤。
【手続補正書】
【提出日】平成23年2月28日(2011.2.28)
【手続補正１】
【補正対象書類名】実用新案登録請求の範囲
【補正対象項目名】全文
【補正方法】変更
【補正の内容】
【実用新案登録請求の範囲】
【請求項１】
杉木から採取した生の杉葉を釜に入れて、これに水を加えて満たし、加熱して沸騰させて煮詰め、精製して、該杉葉の成分を該釜の該水中に抽出し、杉葉の成分を高濃度に含有する水溶液に成した液体の害虫忌避剤であって、特にカメムシに対しての高い有効成分を含有した害虫忌避剤であって、携帯可能な大きさのビンに封入したことを特徴とする害虫忌避剤。
(57)【要約】      （修正有）【課題】不快感を与えず、かつ不用意なカテーテルの自己抜去が起こりにくい介護パジャマ用ズボンを提供する。【解決手段】カテーテル１３を開口部１に通したのち、カバー５の面ファスナー７と８がそれぞれ面ファスナー１１と１２に重なるようにしてカバー５をかぶせる。この時、カテーテル１３が下方向に向く事が望ましい為、面ファスナー７と１１の下端部及び、面ファスナー８と１２の上端の形状を、面ファスナー７、１１と８、１２の間に形成される空間が右下方向に向くよう斜めにカットされている。【選択図】図２
0003168019.tif 000002
【実用新案登録請求の範囲】
【請求項１】
股下部の上部に設けた開口部と上記開口部を開閉可能に覆うカバーを備えた介護パジャマ用ズボン。
【考案の詳細な説明】
【技術分野】
【０００１】
この考案は、介護パジャマ用ズボンに関するものである。
【背景技術】
【０００２】
従来の衣服のズボンは、通常の状態で着用するのであれば何ら不都合は感じられない。しかし、尿道カテーテルを使用している人にとっては管が直接身体に当たるなど不快であり寝返りをうつと留め具に当たるなどして痛みを生じさせる。
【０００３】
さらに、尿道カテーテルの管をズボンの上部に出す場合、認知症などにより行動障害を起こす人が尿感カテーテルの管を自己抜去する事がある。又それを防ぐ為、ズボンの裾から管を通すと今度は管が直接あたり不快感を与えるだけでなく管が足の下敷きになったり、寝返りをうつ際管が折れてしまう事もあり危険である。
【０００４】
本考案は、この様な課題を解決し不快感を与えず、かつ不用意なカテーテルの自己抜去が起こりにくい介護パジャマ用ズボンを提供しょうとするものである。
【考案の概要】
【課題を解決するための手段】
【０００５】
ズボン部の中央部の側面側にカテーテルを通す為の開口部と開口部を覆うカバーを設けた。
【考案の効果】
【０００６】
開口部を設ける事によってカテーテルの管が肌に直接あたる部分が少なくなり利用者に与える不快感が少なくなる。
【０００７】
利用者が臥床している際、手の届きにくい所に開口部を設ける事により自己抜去を防げる。
【０００８】
更衣の際、蓄尿バッグを通せる長さをもつ開口部を設けた為、カテーテルを外す事無く更衣が可能になる。
【図面の簡単な説明】
【０００９】
【図１】本考案の介護パジャマ用ズボンの正面図
【図２】開口部を開けた状態の拡大図
【図３】開口部を閉めた状態の拡大図
【考案を実施するための形態】
【実施例１】
【００１０】
本考案の実施例１に係る介護パジャマ用ズボンを図３を用いて説明すると、ズボンに短冊型の布片を付け、開口部を設けた物である。
【００１１】
以下本考案の実施形態を、図１及び図２に基づき説明する。
図１はカバーを閉じた状態の全体図、図２はカバーを開けた状態の拡大図である。
【００１２】
１は上下に２０ｃｍの長さをもつ開口部であり、その上端２はズボンの股３からウエストと平行な線上で脇４から内側に５ｃｍ戻った所に位置するように設けられる。
【００１３】
５は開口部１の中央部側の縁６に沿って縫い付けられた布片よりなるカバーでマジックテープ（登録商標である（以下同様））７、８がそれぞれ縫い付けられている。
【００１４】
９は開口部１の側面側の縁１０に隣接するように縫い付けられた補強用布片であり、マジックテープ７、８にそれぞれ対向する位置にマジックテープ１１、１２がそれぞれ縫い付けられている。
【００１５】
以下このズボンの使用方法を説明する。
カテーテル１３を開口部１に通したのち、カバー５のマジックテープ７と８がそれぞれマジックテープ１１と１２に重なるようにしてカバー５をかぶせる。この状態を図３に示す。この時、カテーテル１３が下方向に向く事が望ましい為、マジックテープ７と１１の下端部及び、マジックテープ８と１２の上端の形状を図３の状態で、マジックテープ７、１１と８、１２の間に形成される空間が図３右下方向に向くよう斜めにカットされている。
【符号の説明】
【００１６】
１  開口部
２  開口部上端
３  ズボン股
４  ズボン脇
５  布片
７，８、１１、１２、マジックテープ
９、補強布
１３、管
１４、バルーンバッグ
【図１】
0003168019.tif 000003
【図２】
0003168019.tif 000004
【図３】
0003168019.tif 000005